(57)【要約】      （修正有）【課題】芯出し作業の容易化及び装置全体の小型化が可能なエレベーター用三方枠の芯出し装置の提供。【解決手段】乗場開口の側壁２Ｂに把持される把持具１５と、乗場開口に配設されるエレベーター用三方枠１の上枠に設けられてこの上枠の上方に配設される乗場扉開閉装置を連結するための連結用ブラケット７に取り付けられる三方枠固定具１６と、この三方枠固定具１６と把持具１５との間で左右水平方向及びこの左右水平方向に直交する奥行方向にエレベーター用三方枠１の位置を調整する位置調整具１７とからなる芯出し装置１４とする構成によって達成できる。【選択図】図２
2006256758.tif 000002
【特許請求の範囲】
【請求項１】
乗場開口の乗場側壁上端部に把持される把持具と、乗場開口に配設される三方枠の上枠に設けられてこの上枠上方に配設される乗場扉開閉装置を連結するための連結用ブラケットに取り付けられる三方枠固定具と、この三方枠固定具と前記把持具との間で左右水平方向及びこの左右水平方向に直交する奥行方向に前記三方枠の位置を調整する位置調整具とを、少なくとも具備してなることを特徴とするエレベーター用三方枠の芯出し装置。
【請求項２】
前記位置調整具を、前記三方枠固定具から前記乗場開口の乗場側壁に向けて左右水平方向に延在されて左右水平方向に延びる長孔を有する水平方向位置調整部材と、前記把持具から奥行方向に向けて延在されて奥行方向の任意の位置及び前記長孔の任意の位置で前記水平方向位置調整部材に取り付けられる奥行方向位置調整部材とから構成したことを特徴とする請求項１記載のエレベーター用三方枠の芯出し装置。
【請求項３】
前記三方枠固定具を、前記連結ブラケットの連結用ネジ穴に螺合するネジ部材と、このネジ部材を回動操作するためのノブ部材とから構成したことを特徴とする請求項１若しくは２記載のエレベーター用三方枠の芯出し装置。
【請求項４】
前記把持具を、一端側が乗場開口の乗場側壁の背面に当接し、かつ、他端側にその他端側の外周に形成したネジ山に螺合する第１ナットを固定する固定板を設けてなる当接部材と、前記固定板に設けた第２ナットに螺合する当接ボルトとから構成して、前記当接ボルトを乗場開口の乗場側壁の正面に向って螺進させることで前記当接ボルトの先端を乗場開口の乗場側壁の正面に当接させるようにしたことを特徴とする請求項１、２若しくは３記載のエレベーター用三方枠の芯出し装置。
【発明の詳細な説明】
【技術分野】
【０００１】
本発明は、エレベーター用三方枠の芯出し装置に関するものである。
【背景技術】
【０００２】
従来、エレベーターを建物に設置する際には、各階床の乗場開口に、その乗場開口の底辺を除く三辺に当接するように配設される両側枠及び上枠とからなるエレベーター用三方枠を、芯出し固定している。そして、このエレベーター用三方枠の芯出し作業に用いられる芯出し装置としては、乗場開口の乗場側壁を把持する側壁把持具と、エレベーター用三方枠の側枠を把持する側枠把持具と、この側枠把持具と前記側枠把持具との間でその両者の相対位置を可変させる位置調整具とからなり、この位置調整具を操作することで、エレベーター用三方枠の芯出しを行うようにしたものが知られていた（例えば、特許文献１参照）。
【０００３】
【特許文献１】実開昭６１−２００８７８号公報（１頁、第１図及び第２図）
【発明の開示】
【発明が解決しようとする課題】
【０００４】
しかしながら、上述した実開昭６１−２００８７８号公報などに記載されたエレベーター用三方枠の芯出し装置では、エレベーター用三方枠の側枠を把持するようにしているために、芯出し装置全体の大型化を招いているとともに、エレベーター用三方枠の側枠を把持させる際の作業が繁雑となり、しかも、エレベーター用三方枠の側枠が損傷する可能性があるという問題点がある。
【０００５】
本発明は、上述した従来技術における問題点を解決すべくなされたもので、その目的は、芯出し作業の容易化及び装置全体の小型化を可能にするエレベーター用三方枠の芯出し装置を提供することにある。
【課題を解決するための手段】
【０００６】
上記目的を達成するために、本発明は、乗場開口の乗場側壁上端部に把持される把持具と、乗場開口に配設される三方枠の上枠に設けられてこの上枠上方に配設される乗場扉開閉装置を連結するための連結用ブラケットに取り付けられる三方枠固定具と、この三方枠固定具と前記把持具との間で左右水平方向及びこの左右水平方向に直交する奥行方向に前記三方枠の位置を調整する位置調整具とを、少なくとも具備するエレベーター用三方枠の芯出し装置としたことを特徴としている。
【０００７】
さらに、本発明は、前記位置調整具を、前記三方枠固定具から前記乗場開口の乗場側壁に向けて左右水平方向に延在されて左右水平方向に延びる長孔を有する水平方向位置調整部材と、前記把持具から奥行方向に向けて延在されて奥行方向の任意の位置及び前記長孔の任意の位置で前記水平方向位置調整部材に取り付けられる奥行方向位置調整部材とから構成したこと特徴としている。
【０００８】
さらに、本発明は、前記三方枠固定具を、前記連結ブラケットの連結用ネジ穴に螺合するネジ部材と、このネジ部材を回動操作するためのノブ部材とから構成したことを特徴としている。
【０００９】
さらに、本発明は、前記把持具を、一端側が乗場開口の乗場側壁の背面に当接し、かつ、他端側にその他端側の外周に形成したネジ山に螺合する第１ナットを固定する固定板を設けてなる当接部材と、前記固定板に設けた第２ナットに螺合する当接ボルトとから構成して、前記当接ボルトを乗場開口の乗場側壁の正面に向って螺進させることで前記当接ボルトの先端を乗場開口の乗場側壁の正面に当接させるようにしたことを特徴としている。
【発明の効果】
【００１０】
本発明によれば、三方枠固定具を三方枠の上枠に設けた連結用ブラケットに取り付け、かつ、把持具を乗場開口の乗場側壁上端部に取り付けることによって、エレベーター用三方枠の芯出し装置を設置するようにしたので、その芯出し装置の小型化が図られるとともに、三方枠の芯出し作業を容易に、かつ、効率よく行わせることができる。
【発明を実施するための最良の形態】
【００１１】
以下，本発明に係わるエレベーター用三方枠の芯出し装置の一実施形態を、図１〜図４に、基づいて説明する。
【００１２】
本発明の一実施形態に係わるエレベーター用三方枠１は、図１若しくは図４に示すように、鋼材製であって、乗場開口２の底辺を除く三辺に当接するように配設される両側枠３、３Ａ及び上枠４とからなっている。上枠４は、両側枠３、３Ａの底辺部側に設けた敷居５に固定されている。敷居５は、複数個の敷居用ブラケット６によって、乗場開口２の乗場底壁２Ａに固定されている。
【００１３】
エレベーター用三方枠１の上枠４には、図１若しくは図４に示すように、その上枠４の左右端に、それぞれ、連結用ブラケット７が１個設けられている。乗場扉開閉装置８は、図４に示すように、複数個の連結用ブラケット７に第１連結ボルト９で連結固定されるとともに、乗場扉開閉装置８に設けた複数個の乗場扉開閉装置用ブラケット１０を第２連結ボルト１１で乗場上壁２Ｃに固定することで、上枠４の上方に配設される。エレベーター用三方枠１の両側枠３、３Ａは、芯出し作業終了後、乗場側壁２Ｂに打設された複数個のアンカー１２に鉄筋１３を介して溶接固定される。複数個の連結用ブラケット７には、連結用ネジ穴７Ａがそれぞれ設けられている。
【００１４】
エレベーター用三方枠１の芯出し作業に使用する芯出し装置１４は、図２に示すように、乗場開口２の乗場側壁２Ｂの上端部に把持される把持具１５と、乗場開口２に配設されるエレベーター用三方枠１の上枠３に設けられてこの上枠３の上方に配設される乗場扉開閉装置８を連結するための連結用ブラケット７に取り付けられるところの三方枠固定具１６と、この三方枠固定具１６と把持具１５との間で左右水平方向（矢印Ｘ方向）及びこの左右水平方向に直交する奥行方向（矢印Ｙ方向）にエレベーター用三方枠１の位置を調整する位置調整具１７を、少なくとも具備する構成としてある。
【００１５】
芯出し装置１４の把持具１５は、図２に示すように、一端側１８Ａが乗場開口２の乗場側壁２Ｂの背面に当接し、かつ、他端側１８Ｂにその他端側１８Ｂの外周に形成したネジ山１８Ｃに螺合する第１ナット１９を固定する固定板２０を設けてなる略Ｌ字棒状の当接部材１８と、固定板２０に設けた第２ナット２１に螺合する当接ボルト２２とからなっており、当接ボルト２２を乗場開口２の乗場側壁２Ｂの正面に向って螺進させることで当接ボルト２２の先端２２Ａを乗場開口２の乗場側壁２Ｂの正面に当接させることにより、乗場開口２の乗場側壁２Ｂを把持することで、その乗場側壁２Ｂに堅牢に取り付けられるように構成されている。また、把持具１５は、その把持具１５を構成する第１ナット１９及び当接ボルト２２などが、乗場開口２を正面から見て、位置調整具１７を構成する水平方向位置調整部材２５及び奥行方向位置調整部材２６よりも、下方に位置するように構成されている（図３参照）。
【００１６】
芯出し装置１４の三方枠固定具１６は、図２に示すように、連結用ブラケット７の連結用ネジ穴７Ａに螺合するネジ部材２３と、このネジ部材２３を回動操作するためのノブ部材２４とから構成されている。
【００１７】
芯出し装置１４の位置調整具１７は、図２に示すように、三方枠固定具１６から乗場開口２の乗場側壁２Ｂに向けて左右水平方向（矢印Ｘ方向）に延在されて左右水平方向に延びる長孔２５Ａを有する水平方向位置調整部材２５と、エレベーター用三方枠１の奥行方向（矢印Ｙ方向）に沿って延在されて奥行方向の任意の位置及び長孔２５Ａの任意の位置で水平方向位置調整部材２５に取り付けられる奥行方向位置調整部材２６とから構成されている。位置調整具１７の水平方向位置調整部材２５は、スライドパイプからなり、その水平方向位置調整部材２５の一端２５Ｂを三方枠固定具１６のネジ部材２３に固定してある。
【００１８】
位置調整具１７の奥行方向位置調整部材２６は、図２に示すように、水平方向位置調整部材２５の長孔２５Ａに挿通された調整ボルト２７と、この調整ボルト２７に螺合させた固定ノブ２８と、この固定ノブ２８とに間で水平方向位置調整部材２５を挟むように調整ボルト２７に螺合させた調整ノブ２９とからなり、この固定ノブ２８及び調整ノブ２９を調整ボルト２７のどの位置で固定させるかにより、乗場開口２の乗場側壁２Ｂに対するエレベーター用三方枠１の奥行方向（矢印Ｙ方向）の芯出しが行われるように構成されている。
【００１９】
さらに、位置調整具１７は、調整ボルト２７、固定ノブ２８及び調整ノブ２９からなる奥行方向位置調整部材２６を、水平方向位置調整部材２５の長孔２５Ａのどの位置で挟圧保持させるかにより、エレベーター用三方枠１の左右水平方向（矢印Ｘ方向）の芯出しが行われるように構成されている。また、位置調整具１７と三方枠固定具１６は、位置調整具１７の調整ボルト２７の軸心と三方枠固定具１６のネジ部材２３の軸心とが、略同一高さとなるように、それぞれ取り付けられている（図３参照）。
【００２０】
上記構成の芯出し装置１４を用いたエレベーター用三方枠１の芯出し作業及び据付作業は、次の手順で行われる。
【００２１】
（１）始めに、敷居５を、乗場開口２の乗場底壁２Ａに、敷居用ブラケット６により、取り付ける。
【００２２】
（２）次いで、両側枠３、３Ａ及び上枠４を予め組み立てることで形成されたエレベーター用三方枠１を、乗場開口２の乗場底壁２Ａに取り付けた敷居５上に載置する。
【００２３】
（３）次いで、予め用意した同一構造の２個の芯出し装置１４のうちの１つの、芯出し装置１４における三方枠固定具１６のネジ部材２３を、エレベーター用三方枠１の上枠４に設けられた２個の連結用ブラケット７のうちの１つの、連結用ブラケット７における連結用ネジ穴７Ａにあてがった後、ノブ部材２４を回すことにより、位置調整具１７の水平方向位置調整部材２５の一端２５Ｂと一緒にネジ部材２３を連結用ブラケット７に取り付けることで、１つの芯出し装置１４を上枠４の連結用ブラケット７に取り付ける。
【００２４】
（４）次いで、上枠４の連結用ブラケット７に取り付けた芯出し装置１４の把持具１５における第１ナット１９を回転させて、固定板２０を乗場側壁２Ｂにおける上端側部の厚さに合わせて螺進させることで、当接部材２０の一端側１８Ａを乗場側壁２Ｂの背面に係止させる（図２参照）。
【００２５】
（５）次いで、固定板２０に設けた第２ナット２１に螺合する当接ボルト２２を、乗場側壁２Ｂに向って螺進させることによって、当接ボルト２２の先端２２Ａと当接部材２０の一端側１８Ａとの間で乗場側壁２Ｂを強く挟み込むことにより、上枠４の連結用ブラケット７に取り付けた芯出し装置１４の把持具１５が乗場側壁２Ｂに取り付けられる。
【００２６】
（６）次いで、エレベーター用三方枠１の奥行方向（矢印Ｙ方向）の倒れが垂直となるように、位置調整具１７の調整ボルト２７に対する固定ノブ２８及び調整ノブ２９の位置を調整する。
【００２７】
（７）次いで、上記（３）〜（５）の手順で、エレベーター用三方枠１の上枠４に設けられた残りの連結用ブラケット７及び残りの乗場開口２の乗場側壁２Ｂに、残りの芯出し装置１４を取り付けた後、エレベーター用三方枠１の奥行方向（矢印Ｙ方向）の倒れが垂直となるように、固定ノブ２８及び調整ノブ２９の位置を調整する。
【００２８】
（８）次いで、固定ノブ２８を緩める方向に螺進させることで、位置調整具１７の水平方向位置調整部材２５を左右方向に移動させることにより、エレベーター用三方枠１の左右方向の倒れを垂直に修正した後、固定ノブ２８を締め付け方向に螺進させることによって、乗場開口２にエレベーター用三方枠１が芯出しされた状態で仮固定する。
【００２９】
（９）次いで、乗場開口２にエレベーター用三方枠１が仮固定されている状態のエレベーター用三方枠１を、乗場側壁２Ｂに打設されたアンカー１２に鉄筋１３を介して溶接固定する。
【００３０】
（１０）次いで、三方枠固定具１６のノブ部材２４を緩める方向に回転操作することで、連結用ブラケット７の連結用ネジ穴７Ａから三方枠固定具１６のネジ部材２３を取り外し、かつ、当接ボルト２２を緩めて把持具１５を乗場側壁２Ｂから取り外すことによって、芯出し装置１４全体を、乗場開口２の乗場側壁２Ｂ及びエレベーター用三方枠１から取り外す。
【００３１】
（１１）最後に、乗場開口２の固定されたエレベーター用三方枠１における上枠４の連結用ブラケット７に第１連結ボルト９で乗場扉開閉装置８を連結固定されるとともに、乗場扉開閉装置８に設けた複数個の乗場扉開閉装置用ブラケット１０を第２連結ボルト１１で乗場上壁２Ｃに固定することで、上枠４の上方に乗場扉開閉装置８を配設することによって、エレベーター用三方枠１の芯出し作業及び据付作業が終了する。
【００３２】
以上のように、本実施形態によれば、三方枠固定具１６のネジ部材２３を、上枠４に設けた連結用ブラケット７の連結用ネジ穴７Aに螺着させると同時に、把持具１５の当接部材１８の一端側１８Ａと当接ボルト２２の先端２２Ａとの間に乗場側壁２Ｂを挟持させることで、側枠３、３Ａを挟持することなく、芯出し装置１４を乗場開口２に設置することができる。
【００３３】
さらに、上記本実施形態の芯出し装置１４によれば、その芯出し装置１４を設置する場合、エレベーター用三方枠１の側枠３、３Ａを直に、把持する必要がないので、エレベーター用三方枠１の側枠３、３Ａを損傷させることがない。
【００３４】
さらに、上記本実施形態の芯出し装置１４によれば、位置調整具１７の調整ボルト２７に対する固定ノブ２８及び調整ノブ２９の位置及び位置調整具１７の水平方向位置調整部材２５に対する固定ノブ２８及び調整ノブ２９の位置を、乗場開口２の上端の左右隅部で調整することにより、エレベーター用三方枠１の左右方向の倒れの修正及び奥行方向の倒れの修正を簡単に行うことができる。
【００３５】
さらに、上記本実施形態の芯出し装置１４によれば、その芯出し装置１４が、エレベーター用三方枠１の側枠３、３Ａではなく、乗場開口２の上端の左右隅部に上枠４に設けた連結用ブラケット７を利用して設置されるので、エレベーター用三方枠１の側枠３、３Ａをアンカー１２に鉄筋１３を介して溶接固定する作業が芯出し装置１４によって邪魔されないため、エレベーター用三方枠１の据付け作業を効率よく行うことができる。
【図面の簡単な説明】
【００３６】
【図１】本発明の一実施形態に係わる芯出し装置をエレベーター用三方枠に取り付けた状態を示す、乗場開口部分の正面図である。
【図２】図１のエレベーター用三方枠の上枠右端側に取り付けた芯出し装置部分の拡大上面図である。
【図３】図１のエレベーター用三方枠の上枠左端側に取り付けた芯出し装置部分の拡大正面図である。
【図４】本発明の一実施形態に係わるエレベーター用三方枠及び乗場扉開閉装置を据え付けた状態を示す、乗場開口部分の正面図である
【符号の説明】
【００３７】
１    エレベーター用三方枠
２    乗場開口
２Ａ  乗場底壁
２Ｂ  乗場側壁
２Ｃ  乗場上壁
３、３Ａ  側枠
４    上枠
５    敷居
６    敷居用ブラケット
７    連結用ブラケット
７Ａ  連結用ネジ穴
８    乗場扉開閉装置
９    第１連結ボルト
１０    乗場扉開閉装置用ブラケット
１１  第２連結ボルト
１２  アンカー
１３  鉄筋
１４  芯出し装置
１５  把持具
１６  三方枠固定具
１７  位置調整具
１８  当接部材
１８Ａ  一端側
１８Ｂ  他端側
１８Ｃ  ネジ山
１９  第１ナット
２０  固定板
２０  当接部材
２１  第２ナット
２２  当接ボルト
２３  ネジ部材
２４  ノブ部材
２５  水平方向位置調整部材
２５Ａ  長孔
２５Ｂ  一端
２６  奥行方向位置調整部材
２７  調整ボルト
２８  固定ノブ
２９  調整ノブ
【図１】
2006256758.tif 000003
【図２】
2006256758.tif 000004
【図３】
2006256758.tif 000005
【図４】
2006256758.tif 000006